【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
便ふた、便座、及び該便ふたと該便座の開閉を支持するケーシングを備えた便座装置において、前記便ふたが閉じられた状態において便座装置の前方上方の人体を検知する第一の人体検知手段と、人体が該便座に着座していることを検知する着座検知手段と、前記便座が開かれた状態において便座装置の前方上方の人体を検知する第二の人体検知手段とを一体化した検知手段構造体を備えたことを特徴とする便座装置。
【請求項２】
便座、及び該便座の開閉を支持するケーシングを備えた便座装置において、前記便座が閉じられた状態において便座装置の前方上方の人体を検知する第一の人体検知手段と、人体が該便座に着座していることを検知する着座検知手段と、該便座が開かれた状態において便座装置の前方上方の人体を検知する第二の人体検知手段とを一体化した検知手段構造体を備えたことを特徴とする便座装置。
【請求項３】
請求項１に記載の便座装置において、前記検知手段構造体は、前記第一の人体検知手段を上段に、第二の人体検知手段を下段に、着座検知手段を中段に配置したことを特徴とする便座装置。
【請求項４】
請求項１又は２に記載の便座装置において、前記検知手段構造体は、前記第一の人体検知手段、第二の人体検知手段、着座検知手段を取り付け部材に組み込むことで一体化された組品であることを特徴とする便座装置。
【請求項５】
請求項４記載の便座装置において、前記取り付け部材は、各検知手段からの投光が透過する検知窓と一体であることを特徴とする便座装置。
【請求項６】
請求項４又は５記載の便座装置において、前記検知手段構造体を、前記便座装置本体のケーシング前面に配置したことを特徴とする便座装置。
【請求項７】
請求項３又は６記載の便座装置において、前記第一の人体検知手段を前記便ふたと同じ高さ乃至下方に配置したことを特徴とする便座装置。
【請求項８】
請求項３乃至７のいずれか１項に記載の便座装置において、前記第一の人体検知手段を前記便ふた乃至前記便座の回動中心よりも後方に配置したことを特徴とする便座装置。
【請求項９】
請求項３乃至８のいずれか１項に記載の便座装置において、前記第一の人体検知手段および前記第二の人体検知手段を反射型の光電測距センサにより構成したことを特徴とする便座装置。
【請求項１０】
請求項３乃至９のいずれか１項に記載の便座装置において、前記第一の人体検知手段と前記第二の人体検知手段が同一構造であることを特徴とする便座装置。
【請求項１１】
請求項３乃至１０のいずれか１項に記載の便座装置において、前記着座検知手段を反射型の光電測距センサにより構成したことを特徴とする便座装置。
【請求項１２】
請求項１１記載の便座装置において、前記検知窓の表面を前記ケーシングの表面よりも前記便座装置本体内部に凹ませた凹形状とすることを特徴とする便座装置。
【請求項１３】
請求項１１記載の便座装置において、少なくとも前記検知窓における前記着座検知手段の前方を前記ケーシング前面よりも前記便座装置本体内部に前記着座検知手段の検知出来る最近接距離以上凹ませた凹形状とすることを特徴とする便座装置。
【請求項１４】
請求項１３記載の便座装置において、前記凹形状は、前記便ふたが閉位置にある状態における便ふた後端縁よりも下に配置したことを特徴とする便座装置。
【請求項１５】
請求項１１乃至１４のいずれか１項に記載の便座装置において、前記検知手段構造体には、投光レンズと前記検知窓までの投光空間と、受光レンズと該検知窓までの受光空間を隔てる遮光板を設け、前記検知窓は可視光遮断材であり前記遮光板は遮光材を用いた二色成形品とし、前記遮光板は前記検知窓の内部にまで貫通させたことを特徴とする便座装置。
【請求項１６】
請求項１１乃至１５のいずれか１項に記載の便座装置において、前記第一の人体検知手段乃至前記着座検知手段乃至前記第二の人体検知手段の検知領域の一部に干渉するように前記検知窓の一部に遮光材を配置したことを特徴とする便座装置。
【請求項１７】
請求項３乃至１６のいずれか１項に記載の便座装置において、前記検知手段構造体であって前記第一の人体検知手段の上部にかさを設け、前記かさで前記第一の人体検知手段および前記着座検知手段および前記第二の人体検知手段を覆い、且つ前記かさの最下位置を前記第一の人体検知手段および前記着座検知手段および前記第二の人体検知手段よりも突出させたことを特徴とする便座装置。
【請求項１８】
請求項３乃至１７のいずれか１項に記載の便座装置において、前記第一の人体検知手段と前記着座検知手段と前記第二の人体検知手段を前記取り付け部材にスナップフィットで取り付けることを特徴とする便座装置。
【請求項１９】
請求項１８記載の便座装置において、前記第一の人体検知手段と前記着座検知手段と前記第二の人体検知手段を前記取り付け部材にスナップフィットで取り付ける際の嵌合部となるスナップフィット爪部を、前記第一の人体検知手段と前記着座検知手段と前記第二の人体検知手段それぞれの側面に最低二ヶ所設け、且つ前記スナップフィット爪部の形状を異ならせたことを特徴とする便座装置。
【請求項２０】
請求項１９記載の便座装置において、前記第一の人体検知手段と前記着座検知手段と前記第二の人体検知手段を、水平角を同一にし、仰角を任意の角度に配置したことを特徴とする便座装置。
【手続補正２】
【補正対象書類名】明細書
【補正対象項目名】０００８
【補正方法】変更
【補正の内容】
【０００８】
請求項３記載の発明における便座装置は、請求項１の検知手段構造体を、前記第一の人体検知手段を上段に、第二の人体検知手段を下段に、着座検知手段を中段に配置したことを特徴とする。
これにより、便ふたおよび便座が閉状態の時には上段に配置した第一の人体検知手段が便ふたの上部を通して便座装置の前方上方の人体を検知し、便ふたが開状態で便座が閉状態の時には中段に配置した着座検知手段が便ふたと便座の間を通して着座の状態を検知し、便ふたおよび便座が開状態の時には下段に配置した第二の人体検知手段が便座の下部を通して便座装置の前方上方の人体を検知することが出来る。また、簡単な構造で複数の検知手段の一体化を具現化することが出来る。
【手続補正３】
【補正対象書類名】明細書
【補正対象項目名】００１１
【補正方法】変更
【補正の内容】
【００１１】
請求項６記載の発明における便座装置は、前記検知手段構造体を、前記便座装置本体のケーシング前面に配置したことを特徴とする。
これにより、スッキリ且つコンパクトで美しい袖なしのデザインあるいはローシルエットデザインをした便座装置に対しても請求項１の効果を適用出来る。
【手続補正４】
【補正対象書類名】明細書
【補正対象項目名】００２０
【補正方法】変更
【補正の内容】
【００２０】
請求項１５記載の発明における便座装置は、前記検知手段構造体には、投光レンズと前記検知窓までの投光空間と、受光レンズと該検知窓までの受光空間を隔てる遮光板を設け、前記検知窓は可視光遮断材であり前記遮光板は遮光材を用いた二色成形品とし、前記遮光板は前記検知窓の内部にまで貫通させたことを特徴とする。
これにより、投光された赤外線が、投光空間から受光空間に漏れず、また、センサ窓に付着した水滴やごみによって乱反射して受光空間に到達することも無くなるので、誤検知を防ぐことが出来る。